(57)【要約】【課題】電子機器、電子機器システム、及び電子機器制御方法において、各電子機器に共通した操作体系で、各電子機器に共通機能を実行するように指示でき、また、共通機能を実行するのに適した電子機器に共通機能を実行させる。【解決手段】電子機器２の機能情報を取得して（Ｓ２〜Ｓ５）、取得した電子機器２の機能情報に基づいて、電子機器１と電子機器２との共通機能を認識（抽出）する（Ｓ６）。そして、記憶された共通機能情報に対応する共通機能を実行するように指示されたときに、電子機器１のＣＰＵが、電子機器１と電子機器２の中から、認識された共通機能を実行する電子機器を選択する（Ｓ１４）。これにより、各電子機器に共通した操作体系で、各電子機器に共通機能を実行するように指示することができる。【選択図】図２
2013247580.tif 000002
【特許請求の範囲】
【請求項１】
他の電子機器の機能情報を取得する機能情報取得手段と、
前記機能情報取得手段により取得された他の電子機器の機能情報に基づいて、前記他の電子機器の機能と自機の機能との共通機能を認識する共通機能認識手段と、
前記共通機能認識手段により認識された前記共通機能を実行する機器を、自機と前記他の電子機器との中から選択する実行機器選択手段とを備えた電子機器。
【請求項２】
前記実行機器選択手段は、自機と前記他の電子機器とにおいて使用できなくなる機能が最も少なくなるように、前記共通機能を実行する機器を選択することを特徴とする請求項１に記載の電子機器。
【請求項３】
前記実行機器選択手段は、自機と前記他の電子機器との間の処理負担が平均化されるように、前記共通機能を実行する機器を選択することを特徴とする請求項１に記載の電子機器。
【請求項４】
前記実行機器選択手段は、自機の負荷が所定の閾値を超えた場合に、前記他の電子機器に前記共通機能を実行させることを特徴とする請求項１に記載の電子機器。
【請求項５】
前記実行機器選択手段は、前記共通機能を実行する機器として、自機と前記他の電子機器のうち、消費電力が最も小さい機器を選択することを特徴とする請求項１に記載の電子機器。
【請求項６】
前記実行機器選択手段は、自機と前記他の電子機器の各々における前記共通機能を実行した回数を用いて、前記共通機能を実行する機器を選択することを特徴とする請求項１乃至請求項５のいずれか一項に記載の電子機器。
【請求項７】
前記共通機能認識手段により認識された共通機能を示す共通機能情報を、この共通機能情報を記憶するように指示するコマンドと共に、前記他の電子機器に送信するコマンド送信手段をさらに備えたことを特徴とする請求項１乃至請求項６のいずれか一項に記載の電子機器。
【請求項８】
前記共通機能認識手段は、前記他の電子機器の機能のコードと、自機の機能のコードとを比較することにより、前記他の電子機器の機能と自機の機能との共通機能を認識することを特徴とする請求項１乃至請求項７のいずれか一項に記載の電子機器。
【請求項９】
前記機能情報取得手段は、ＨＤＭＩの規格に応じた通信インタフェースを用いて、前記他の電子機器の機能情報を取得することを特徴とする請求項１乃至請求項８のいずれか一項に記載の電子機器。
【請求項１０】
前記機能情報取得手段は、ＨＤＭＩのＣＥＣコマンドを用いて、前記他の電子機器の機能情報を取得することを特徴とする請求項９に記載の電子機器。
【請求項１１】
前記機能情報取得手段は、無線通信方式を用いて、前記他の電子機器の機能情報を取得することを特徴とする請求項１乃至請求項８のいずれか一項に記載の電子機器。
【請求項１２】
第１の電子機器と第２の電子機器とを含む電子機器システムにおいて、
前記第１の電子機器は、
前記第２の電子機器の機能情報を取得する機能情報取得手段と、
前記機能情報取得手段により取得された前記第２の電子機器の機能情報に基づいて、前記第２の電子機器の機能と前記第１の電子機器の機能との共通機能を認識する共通機能認識手段と、
前記共通機能認識手段により認識された共通機能を実行する機器を、前記第１の電子機器と前記第２の電子機器の中から選択する実行機器選択手段とを備えたことを特徴とする電子機器システム。
【請求項１３】
第１の電子機器と、第２の電子機器と、操作機器とを含む電子機器システムにおいて、
前記第１の電子機器は、
前記第２の電子機器の機能情報を取得する機能情報取得手段と、
前記機能情報取得手段により取得された前記第２の電子機器の機能情報に基づいて、前記第２の電子機器の機能と前記第１の電子機器の機能との共通機能を認識する共通機能認識手段と、
前記共通機能認識手段により認識された共通機能を示す共通機能情報を、前記操作機器に送信する情報送信手段とを備え、
前記操作機器は、
前記第１の電子機器の情報送信手段により送信された共通機能情報を受信する受信手段と、
前記受信手段により受信した共通機能情報に対応する共通機能を実行する機器を、前記第１の電子機器と前記第２の電子機器の中から選択する実行機器選択手段とを備えたことを特徴とする電子機器システム。
【請求項１４】
複数の電子機器の機能情報を取得するステップと、
前記取得するステップで取得した複数の電子機器の機能情報に基づいて、これら複数の電子機器の共通機能を認識するステップと、
前記認識するステップで認識した前記共通機能を実行する機器を、前記複数の電子機器の中から選択するステップとを備えた電子機器制御方法。
【発明の詳細な説明】
【技術分野】
【０００１】
本発明は、他の一つ以上の電子機器と接続可能な電子機器、複数の電子機器を含む電子機器システム、及び電子機器の制御方法に関する。
【背景技術】
【０００２】
従来から、ＡＶ（Ａｕｄｉｏ  ａｎｄ  Ｖｉｓｕａｌ）機器等の複数の電子機器を含む電子機器システムがある。この電子機器システムの例としては、テレビジョン受像機、各種のプレーヤ、チューナ等を接続したＡＶシステムがある。この種の電子機器システムでは、各電子機器が、同じ機能（共通機能）を持っている場合も多い。例えば、上記のＡＶシステムでは、テレビジョン受像機と、各種のプレーヤの両方が、ＶＯＤ（Ｖｉｄｅｏ  Ｏｎ  Ｄｅｍａｎｄ）機能やＤＬＮＡ（Ｄｉｇｉｔａｌ  Ｌｉｖｉｎｇ  Ｎｅｔｗｏｒｋ  Ａｌｌｉｅｎｃｅ）機能（ＤＬＮＡのガイドラインに従った機器間相互接続機能）等の機能を共通機能として持っている場合が多い。
【０００３】
また、この種の電子機器システムの分野において、ネットワークに現在接続された少なくとも一つの装置が、ネットワークに現在接続された一つ以上の装置から、装置情報を含む情報を獲得する段階と、少なくとも上記の獲得された情報に基づいて、ユーザインタフェース叙述を生成する段階を行い、ユーザインタフェース叙述は、ネットワークに現在接続された装置各々の装置情報と関わった参照を含み、この参照がネットワークに現在接続された装置に含まれた情報への少なくとも一つのリンクを含むようにしたものが知られている。
【先行技術文献】
【特許文献】
【０００４】
【特許文献１】特表２００３−５０５８０５号公報
【発明の概要】
【発明が解決しようとする課題】
【０００５】
ところが、上記従来のＡＶシステム等の電子機器システムでは、上記の共通機能を選択するためには、各電子機器の個別の操作体系で共通機能の選択操作を行わなければならない。より具体的に言うと、上記の電子機器システムにおいて、共通機能を選択するときには、各電子機器のリモコンを用いて、共通機能の選択操作を行わなければならない。最近では、リモコン用のアプリケーションをスマートフォンにダウンロードして、このスマートフォンを各電子機器に共通のリモコンとして用いることもできるが、この場合でも、ユーザは、スマートフォンにおいて、各電子機器のコントロール用画面を選択表示して共通機能の選択操作を行う必要があるので、各電子機器に共通した操作体系で、各電子機器に共通機能を実行するように指示することができない。なお、上記特許文献１の発明によれば、ホームネットワーク内の各種の装置に指示操作を与えるために、各装置毎に異なるユーザインタフェース用の画面を表示することはできるが、ユーザが各電子機器に共通した操作体系で、各電子機器に共通機能を実行するように指示することはできない。
【０００６】
また、従来の電子機器システムでは、ユーザが、各電子機器で共通機能を実行した場合にシステム全体のパーフォーマンスにどのような影響を及ぼすかということや、どの電子機器で共通機能を実行するのが一番効果的かということを熟知していないと、共通機能を実行するのに適した電子機器を選択することが難しい。
【０００７】
本発明は、上記課題を解決するものであり、各電子機器に共通した操作体系で、各電子機器に共通機能を実行するように指示することができ、また、共通機能を実行するように指示されたときに、共通機能を実行するのに適した電子機器に共通機能を実行するようにさせることが可能な電子機器、電子機器システム、及び電子機器制御方法を提供することを目的とする。
【課題を解決するための手段】
【０００８】
上記課題を解決するために、請求項１の発明は、他の電子機器の機能情報を取得する機能情報取得手段と、前記機能情報取得手段により取得された他の電子機器の機能情報に基づいて、前記他の電子機器の機能と自機の機能との共通機能を認識する共通機能認識手段と、前記共通機能認識手段により認識された前記共通機能を実行する機器を、自機と前記他の電子機器との中から選択する実行機器選択手段とを備えた電子機器である。
【０００９】
上記構成においては、他の電子機器の機能情報が、機能情報取得手段により取得され、取得された他の電子機器の機能情報に基づいて、他の電子機器の機能と自機の機能との共通機能が、共通機能認識手段により認識される。そして、認識された共通機能を実行する機器が、自機と他の電子機器との中から自動的に選択される。これにより、各電子機器（自機と他の一つ以上の電子機器を含む全ての電子機器の各々）に共通した操作体系で、各電子機器に共通機能を実行するように指示することができる。具体的には、例えば、各電子機器に共通の操作機器を用いて、共通の操作画面から、各電子機器に共通機能を実行するように指示することができる。
【００１０】
請求項２の発明は、請求項１に記載の電子機器において、前記実行機器選択手段は、自機と前記他の電子機器とにおいて使用できなくなる機能が最も少なくなるように、前記共通機能を実行する機器を選択するものである。
【００１１】
請求項３の発明は、請求項１に記載の電子機器において、前記実行機器選択手段は、自機と前記他の電子機器との間の処理負担が平均化されるように、前記共通機能を実行する機器を選択するものである。
【００１２】
請求項４の発明は、請求項１に記載の電子機器において、前記実行機器選択手段は、自機の負荷が所定の閾値を超えた場合に、前記他の電子機器に前記共通機能を実行させるものである。
【００１３】
請求項５の発明は、請求項１に記載の電子機器において、前記実行機器選択手段は、前記共通機能を実行する機器として、自機と前記他の電子機器のうち、消費電力が最も小さい機器を選択するものである。
【００１４】
請求項６の発明は、請求項１乃至請求項５のいずれか１項に記載の電子機器において、前記実行機器選択手段は、自機と前記他の電子機器の各々における前記共通機能を実行した回数を用いて、前記共通機能を実行する機器を選択するものである。
【００１５】
請求項７の発明は、請求項１乃至請求項６のいずれか１項に記載の電子機器において、前記共通機能認識手段により認識された共通機能を示す共通機能情報を、この共通機能情報を記憶するように指示するコマンドと共に、前記他の電子機器に送信するコマンド送信手段をさらに備えたものである。
【００１６】
請求項８の発明は、請求項１乃至請求項７のいずれか一項に記載の電子機器において、前記共通機能認識手段は、前記他の電子機器の機能のコードと、自機の機能のコードとを比較することにより、前記他の電子機器の機能と自機の機能との共通機能を認識するものである。
【００１７】
請求項９の発明は、請求項１乃至請求項８のいずれか１項に記載の電子機器において、前記機能情報取得手段は、ＨＤＭＩの規格に応じた通信インタフェースを用いて、前記他の電子機器の機能情報を取得するものである。
【００１８】
請求項１０の発明は、請求項９に記載の電子機器において、前記機能情報取得手段は、ＨＤＭＩのＣＥＣコマンドを用いて、前記他の電子機器の機能情報を取得するものである。
【００１９】
請求項１１の発明は、請求項１乃至請求項８のいずれか一項に記載の電子機器において、前記機能情報取得手段は、無線通信方式を用いて、前記他の電子機器の機能情報を取得するものである。
【００２０】
請求項１２の発明は、第１の電子機器と第２の電子機器とを含む電子機器システムにおいて、前記第１の電子機器は、前記第２の電子機器の機能情報を取得する機能情報取得手段と、前記機能情報取得手段により取得された前記第２の電子機器の機能情報に基づいて、前記第２の電子機器の機能と前記第１の電子機器の機能との共通機能を認識する共通機能認識手段と、前記共通機能認識手段により認識された共通機能を実行する機器を、前記第１の電子機器と前記第２の電子機器の中から選択する実行機器選択手段とを備えたことを特徴とする電子機器システムである。
【００２１】
請求項１３の発明は、第１の電子機器と、第２の電子機器と、操作機器とを含む電子機器システムにおいて、前記第１の電子機器は、前記第２の電子機器の機能情報を取得する機能情報取得手段と、前記機能情報取得手段により取得された前記第２の電子機器の機能情報に基づいて、前記第２の電子機器の機能と前記第１の電子機器の機能との共通機能を認識する共通機能認識手段と、前記共通機能認識手段により認識された共通機能を示す共通機能情報を、前記操作機器に送信する情報送信手段とを備え、前記操作機器は、前記第１の電子機器の情報送信手段により送信された共通機能情報を受信する受信手段と、前記受信手段により受信した共通機能情報に対応する共通機能を実行する機器を、前記第１の電子機器と前記第２の電子機器の中から選択する実行機器選択手段とを備えたことを特徴とする電子機器システムである。
【００２２】
請求項１４の発明は、複数の電子機器の機能情報を取得するステップと、前記取得するステップで取得した複数の電子機器の機能情報に基づいて、これら複数の電子機器の共通機能を認識するステップと、前記認識するステップで認識した前記共通機能を実行する機器を、前記複数の電子機器の中から選択するステップとを備えた電子機器制御方法である。
【発明の効果】
【００２３】
請求項１の発明によれば、共通機能を実行する機器が、自機と他の電子機器との中から自動的に選択される。これにより、各電子機器（自機と他の一つ以上の電子機器を含む全ての電子機器の各々）に共通した操作体系で、各電子機器に共通機能を実行するように指示することができる。具体的には、例えば、各電子機器に共通の操作機器を用いて、共通の操作画面から、各電子機器に共通機能を実行するように指示することができる。また、実行機器選択手段が、共通機能を実行するのに適した電子機器を自動的に選択するようにさせることにより、共通機能を実行するのに適した電子機器に共通機能を実行するようにさせることができる。
【００２４】
請求項２の発明によれば、自機と他の電子機器との間の処理負担が平均化されるように、共通機能を実行する機器が選択される。これにより、上記請求項１に記載の効果を的確に得ることができる。
【００２５】
請求項３の発明によれば、自機と他の電子機器との間の処理負担が平均化されるように、共通機能を実行する機器が選択される。これにより、上記請求項１に記載の効果を的確に得ることができる。
【００２６】
請求項４の発明によれば、自機の負荷が所定の閾値を超えた場合に、他の電子機器が共通機能を実行する。これにより、上記請求項１に記載の効果を的確に得ることができる。
【００２７】
請求項５の発明によれば、共通機能を実行する機器として、自機と他の電子機器のうち、消費電力が最も小さい機器が選択される。これにより、上記請求項１に記載の効果を的確に得ることができる。
【００２８】
請求項６の発明によれば、自機と他の電子機器の各々における共通機能を実行した回数を用いて、共通機能を実行する機器が選択される。これにより、上記請求項１に記載の効果を的確に得ることができる。
【００２９】
請求項７の発明によれば、共通機能情報が、この共通機能情報を記憶するように指示するコマンドと共に、他の電子機器に送信される。これにより、他の電子機器側に、本電子機器の実行機器選択手段と同様な、共通機能を実行する機器を選択する手段を設けることにより、本電子機器と他の電子機器の両方が、共通機能を実行するのに適した電子機器を自動的に選択することが可能になる。
【００３０】
請求項８の発明によれば、他の電子機器の機能のコードと、自機の機能のコードとを比較することにより、前記他の電子機器の機能と自機の機能との共通機能を認識するようにしたので、上記請求項１に記載の効果を的確に得ることができる。
【００３１】
請求項９の発明によれば、ＨＤＭＩの規格に応じた通信インタフェースを用いて、他の電子機器の機能情報を取得するようにしたので、上記に記載の効果を的確に得ることができる。
【００３２】
請求項１０の発明によれば、ＨＤＭＩのＣＥＣコマンドを用いて、他の電子機器の機能情報を取得するようにしたことにより、上記に記載の効果を的確に得ることができる。
【００３３】
請求項１１の発明によれば、無線通信方式を用いて、他の電子機器の機能情報を取得するようにしたことにより、上記に記載の効果を的確に得ることができる。
【００３４】
請求項１２の発明によれば、共通機能を実行する機器が、第１の電子機器と第２の電子機器の中から自動的に選択される。これにより、各電子機器（第１の電子機器と第２の電子機器の各々）に共通した操作体系で、各電子機器に共通機能を実行するように指示することができる。具体的には、例えば、各電子機器に共通の操作機器を用いて、共通の操作画面から、各電子機器に共通機能を実行するように指示することができる。また、実行機器選択手段が、共通機能を実行するのに適した電子機器を自動的に選択するようにさせることにより、共通機能を実行するのに適した電子機器に共通機能を実行するようにさせることができる。
【００３５】
請求項１３の発明によれば、操作機器が、第１の電子機器から送信された共通機能情報を受信して、受信した共通機能情報に対応する共通機能を実行する機器を、第１の電子機器と第２の電子機器の中から選択するので、第１の電子機器と第２の電子機器に共通した操作体系で、各電子機器に共通機能を実行するように指示することができる。具体的には、この操作機器を第１の電子機器と第２の電子機器に共通の操作機器として用いて、各電子機器に共通機能を実行するように指示することができる。
【００３６】
請求項１４の発明によれば、共通機能を実行する機器が、複数の電子機器の中から自動的に選択される。これにより、各電子機器（自機と他の一つ以上の電子機器を含む全ての電子機器の各々）に共通した操作体系で、各電子機器に共通機能を実行するように指示することができる。また、選択するステップにおいて、共通機能を実行するのに適した電子機器を自動的に選択するようにさせることにより、共通機能を実行するのに適した電子機器に共通機能を実行するようにさせることができる。
【図面の簡単な説明】
【００３７】
【図１】本発明の第１の実施形態に係る電子機器システムに含まれる各電子機器の電気的ブロック構成図。
【図２】同電子機器システムに含まれる各機器の共通機能に関連する処理を示すフローチャート。
【図３】図２中の最適機器選択処理のフローチャート。
【図４】図２中の最適機器選択処理のフローチャート。
【図５】本発明の第２の実施形態に係る電子機器システムに含まれる各機器の共通機能に関連する処理を示すフローチャート。
【図６】本発明の第３の実施形態に係る電子機器システムに含まれる各電子機器と操作機器の電気的ブロック構成図。
【図７】同電子機器システムに含まれる各機器の共通機能に関連する処理を示すフローチャート。
【図８】上記各実施形態における最適な電子機器の選択処理の他の例を示す説明図。
【発明を実施するための形態】
【００３８】
以下、本発明の実施形態について、図面を参照して説明する。図１は、本発明の第１の実施形態による電子機器システムを示す。この電子機器システム１０は、電子機器１（請求項における電子機器、及び第１の電子機器）と、電子機器２（請求項における他の電子機器、及び第２の電子機器）と、電子機器１及び電子機器２の指示操作用の操作機器４とを含んでいる。操作機器４は、リモコン用のアプリケーションがダウンロードされたスマートフォンである。電子機器１と電子機器２との間は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３でＨＤＭＩ接続されている。電子機器１と電子機器２の例としては、テレビジョン受像機（以下、ＴＶ受像機という）とＢＤ（Ｂｌｕ−ｒａｙ  Ｄｉｓｃ）プレーヤとが挙げられる。なお、この場合には、電子機器システム１０は、ＡＶ（Ａｕｄｉｏ  ａｎｄ  Ｖｉｓｕａｌ）システムになる。
【００３９】
図１に示されるように、電子機器１は、マイコン１１を備えている。マイコン１１は、電子機器１全体の制御を行うＣＰＵ１２（共通機能認識手段、実行機器選択手段）、各種のプログラムやデータ等を記憶するメモリ１３等を集積した回路である。メモリ１３は、電子機器１が操作機器４から各機能を実行するように指示するための操作コマンドを受信したときの処理用のプログラムである操作コマンド処理ＰＧ１４、電子機器１が有する各機能を実現するためのプログラム（各機能用ＰＧ）１５、電子機器１が有する機能についての情報を格納した機能リスト１６、及び電子機器１が有する機能と電子機器２が有する機能との共通機能を示す情報である共通機能情報を格納した共通機能リスト１７を記憶している。
【００４０】
また、電子機器１は、ＨＤＭＩの規格に応じた通信インタフェースであるＨＤＭＩ通信部１８を有している。このＨＤＭＩ通信部１８は、電子機器２から出力されたＨＤＭＩ信号（映像信号と音声信号を含む）を受信すると共に、電子機器２に対してＣＥＣ（Ｃｏｎｓｕｍｅｒ  Ｅｌｅｃｔｒｏｎｉｃｓ  Ｃｏｎｔｒｏｌ）コマンド（レスポンスを含む）の送受信を行うＨＤＭＩレシーバとして機能する。ＣＰＵ１２とＨＤＭＩ通信部１８とが、請求項における機能情報取得手段、コマンド送信手段、及び情報送信手段に相当する。また、電子機器１は、操作機器４からのリモコン信号を受信するためのリモコン信号受信部１９を有している。
【００４１】
一方、電子機器２は、マイコン２１を備えている。マイコン２１は、電子機器２全体の制御を行うＣＰＵ２２、各種のプログラムやデータ等を記憶するメモリ２３等を集積した回路である。メモリ２３は、電子機器２が操作機器４から各機能を実行するように指示するための操作コマンドを受信したときの処理のプログラムである操作コマンド処理ＰＧ２４、電子機器２が有する各機能を実現するためのプログラム（各機能用ＰＧ）２５、電子機器２が有する機能についての情報を格納した機能リスト２６、及び電子機器１が有する機能と電子機器２が有する機能との共通機能を示す情報である共通機能情報を格納した共通機能リスト２７を記憶している。
【００４２】
また、電子機器２は、ＨＤＭＩの規格に応じた通信インタフェースであるＨＤＭＩ通信部２８を有している。このＨＤＭＩ通信部２８は、ＨＤＭＩの規格に応じた通信により、映像信号、音声信号を電子機器１に送信するためのＨＤＭＩトランスミッタとして機能する。また、電子機器２は、操作機器４からのリモコン信号を受信するためのリモコン信号受信部２９を有している。
【００４３】
次に、図２のフローチャートを参照して、電子機器システム１０に含まれる各機器の共通機能に関連する処理について説明する。図１に示されるように、電子機器１と電子機器２との間をＨＤＭＩケーブル３で接続して、電子機器１及び電子機器２の電源を投入する（電子機器１及び電子機器２を起動させる）と、電子機器１側のＣＰＵ１２と電子機器２側のＣＰＵ２２とが、ＨＤＭＩ通信部１８とＨＤＭＩ通信部２８とを用いて、電子機器１と電子機器２との間の接続（ＨＤＭＩ接続）を確立する（Ｓ１）。次に、電子機器１側のＣＰＵ１２は、ＨＤＭＩ通信部１８を用いて、ＣＥＣのベンダーコマンド（ＣＥＣを使用する各メーカが独自に作成したコマンド）の一種である機能確認コマンドを電子機器２に送信する（Ｓ２）。電子機器２側のＣＰＵ２２は、ＨＤＭＩ通信部２８を用いて、電子機器１から送信された機能確認コマンドを受信すると（Ｓ３）、メモリ２３から、自機（電子機器２）が有する機能のリストである機能リスト２６の内容を読み込んで、この機能リストのデータを、ＨＤＭＩ通信部２８を用いて電子機器１に送信する（Ｓ４）。
【００４４】
電子機器１側のＣＰＵ１２は、ＨＤＭＩ通信部１８を用いて、上記の機能リストのデータを受信（取得）すると（Ｓ５）、この電子機器２側の機能リストのデータと、メモリ１３に記憶された、電子機器１側の機能リスト１６のデータとを比較して、電子機器１が有する機能と電子機器２が有する機能との共通機能を抽出する（認識する）（Ｓ６）。具体的には、例えば、図１の機能リスト１６及び機能リスト２６に示されるように、電子機器１が有する機能が、機能ａ、機能ｂ、機能ｃ、機能ｄであって、電子機器２が有する機能が、機能ａ、機能ｄ、機能ｆ、機能ｇである場合には、Ｓ６において抽出される共通機能は、機能ａと機能ｄになる。なお、図１中の機能リスト１６及び機能リスト２６には、説明を分かり易くするために、電子機器１及び２が有する機能を、機能ａ、機能ｂ等と記したが、機能リスト１６及び機能リスト２６に実際に格納されるデータは、メモリ容量を節約するために、各機能を表すコードであることが望ましい。この場合には、電子機器１側のＣＰＵ１２は、電子機器２の機能のコードと、メモリ１３に記憶された、電子機器１の機能のコードとを比較することにより、電子機器１の機能と電子機器２の機能との共通機能を抽出する。
【００４５】
電子機器１側のＣＰＵ１２は、Ｓ６の共通機能抽出処理が終了すると、抽出した共通機能を示すデータ（請求項における共通機能情報）（例えば共通機能のコード）を、共通機能リスト１７としてメモリ１３に保存（記憶）する（Ｓ７）。上記のように、Ｓ６で抽出される共通機能が、機能ａと機能ｄである場合には、図１に示されるように、これらの機能を示すデータが、共通機能リスト１７に格納される。次に、電子機器１側のＣＰＵ１２は、ＨＤＭＩ通信部１８を用いて、Ｓ７でメモリ１３に保存した共通機能リスト１７のデータを、このデータを記憶するように指示するコマンド（ＣＥＣのベンダーコマンド）と共に、電子機器２に送信する（Ｓ８）。
【００４６】
電子機器２側のＣＰＵ２２は、ＨＤＭＩ通信部２８を用いて、電子機器１から送信された共通機能リストのデータを受信すると（Ｓ９）、このデータを共通機能リスト２７としてメモリ２３に保存（記憶）する（Ｓ１０）。
【００４７】
上記Ｓ１乃至Ｓ１０の処理の完了後に、ユーザが、操作機器４を用いて、電子機器１用の操作画面から、電子機器１が有する各機能を実行するように指示するための操作を行うと、操作機器４は、電子機器１に操作コマンドを送信する（Ｓ１１）。電子機器１側のＣＰＵ１２は、操作機器４からの操作コマンドを受信すると（Ｓ１２）、メモリ１３に記憶された共通機能リスト１７のデータに基づいて、Ｓ１２で受信した操作コマンドが、電子機器１の機能と電子機器２の機能との共通機能を実行するように指示するための操作コマンドであるか否かを判定する（Ｓ１３）。
【００４８】
そして、共通機能を実行するように指示するための操作コマンドである場合には（Ｓ１３でＹＥＳ）、電子機器１側のＣＰＵ１２は、電子機器１と電子機器２のうち、上記の操作コマンドで指示された共通機能を実行するのに適した方の電子機器を選択する（電子機器１と電子機器２の中から、上記の操作コマンドで指示された共通機能を実行するのに最適な電子機器を選択する）（Ｓ１４）。なお、図１に示される例では、ＨＤＭＩ接続された電子機器が、電子機器１と電子機器２の２つだけであるので、これらの電子機器のうち、上記の操作コマンドで指示された共通機能を実行するのに適した方の電子機器を選択するが、３つ以上の電子機器がＨＤＭＩ接続されている場合には、３つ以上の電子機器の中から、操作コマンドで指示された共通機能を実行するのに最適な電子機器を選択する。
【００４９】
次に、電子機器１側のＣＰＵ１２は、Ｓ１４で（最適と）選択した電子機器に対して、Ｓ１１で送信された操作コマンドで指示された共通機能を実行するように指示する（選択した電子機器が電子機器２の場合は、Ｓ１１の操作コマンドで指示された共通機能を実行するように指示するためのコマンドを送信する）（Ｓ１５）。これにより、Ｓ１４で最適と選択された電子機器が、Ｓ１１の操作コマンドで指示された共通機能の動作を実行する（Ｓ２０）。すなわち、電子機器１側のＣＰＵ１２は、Ｓ１４で選択した電子機器が、Ｓ１１の操作コマンドで指示された共通機能を実行するように制御する。Ｓ１２で受信した操作コマンドが、共通機能を実行するように指示するための操作コマンドでない場合には（Ｓ１３でＮＯ）、電子機器１側のＣＰＵ１２は、通常の動作を行う（電子機器１側で操作コマンドに応じた動作を行う）（Ｓ２１）。例えば、Ｓ１２で受信した操作コマンドが、図１の機能リスト１６に格納された機能ｂを実行するように指示するための操作コマンドである場合には、電子機器１側のＣＰＵ１２は、電子機器１が有する機能ｂを実行する。
【００５０】
一方、上記Ｓ１１において、ユーザが操作機器４の電子機器１用の操作画面から指示した操作に応じて、操作機器４が操作コマンドを送信し、電子機器２がこの操作コマンドを受信した場合には（Ｓ１６）、電子機器２側のＣＰＵ２２は、メモリ２３に記憶された共通機能リスト２７のデータに基づいて、Ｓ１６で受信した操作コマンドが、電子機器１の機能と電子機器２の機能との共通機能を実行するように指示するための操作コマンドであるか否かを判定する（Ｓ１７）。
【００５１】
そして、共通機能を実行するように指示するための操作コマンドである場合には（Ｓ１７でＹＥＳ）、電子機器２側のＣＰＵ２２は、電子機器１と電子機器２のうち、上記の操作コマンドで指示された共通機能を実行するのに適した方の電子機器を選択する（電子機器１と電子機器２の中から、上記の操作コマンドで指示された共通機能を実行するのに最適な電子機器を選択する）（Ｓ１８）。
【００５２】
次に、電子機器２側のＣＰＵ２２は、Ｓ１８で（最適と）選択した電子機器に対して、Ｓ１１で送信された操作コマンドで指示された共通機能を実行するように指示する（選択した電子機器が電子機器１の場合は、Ｓ１１の操作コマンドで指示された共通機能を実行するように指示するためのコマンドを送信する）（Ｓ１９）。これにより、Ｓ１８で最適と選択された電子機器が、Ｓ１１の操作コマンドで指示された共通機能の動作を実行する（Ｓ２０）。すなわち、電子機器２側のＣＰＵ２２は、Ｓ１８で選択した電子機器が、Ｓ１１の操作コマンドで指示された共通機能を実行するように制御する。Ｓ１６で受信した操作コマンドが、共通機能を実行するように指示するための操作コマンドでない場合には（Ｓ１７でＮＯ）、電子機器２側のＣＰＵ２２は、何も行わない。
【００５３】
なお、操作機器４からの共通機能を実行するように指示するための操作コマンドを、電子機器１と電子機器２の両方が受信した場合には、（最適と）選択された電子機器は、電子機器１からの指示と電子機器２からの指示のうち、最先の指示に基づいて、Ｓ１１の操作コマンドで指示された共通機能の動作を実行する。
【００５４】
次に、上記Ｓ１４及びＳ１８に示される最適な電子機器の選択処理の具体例について説明する。例えば、図１に示される電子機器１と電子機器２とが、それぞれＴＶ受像機とＢＤプレーヤであり、機能ａと機能ｄとが、それぞれＶＯＤ（Ｖｉｄｅｏ  Ｏｎ  Ｄｅｍａｎｄ）再生機能とノイズリダクション機能であると仮定する。また、操作機器４から送信された操作コマンドが、機能ａ（ＶＯＤ再生機能）を実行するように指示するための操作コマンドであり、この操作コマンドを、ＴＶ受像機とＢＤプレーヤのいずれか又は双方が受信したとする。この場合、ＶＯＤ再生機能は、実行される電子機器のＣＰＵのリソースを大幅に使用するので、ＶＯＤ再生機能を実行する電子機器では、ＶＯＤ再生機能以外の機能を使用できなくなってしまう。このため、ＴＶ受像機においてＶＯＤ再生機能を実行すると、ＶＯＤ再生機能以外の、ＴＶ受像機だけが持っている機能（図１中の機能ｂ及び機能ｃ）を使用できなくなってしまう。機能ｂ及び機能ｃが、画面の明るさ調整機能や、シャープネス調整機能（画像周波数の高周波領域のレベルを変更する機能）のように、ＴＶ受像機における一般的な機能であるとすると、ＶＯＤ再生機能については、ＴＶ受像機ではなく、ＢＤプレーヤで実行させた方が、システム全体のパーフォーマンスを向上させることができる。このため、ＴＶ受像機又はＢＤプレーヤが、ＶＯＤ再生機能を実行するように指示するための操作コマンドを受信した場合には、ＴＶ受像機ではなく、ＢＤプレーヤに、ＶＯＤ再生機能を実行させる。
【００５５】
従来は、上記のような場合に、ユーザが、操作機器を用いてＶＯＤ再生機能を実行させる電子機器を選んでいたので、ユーザが電子機器システム全体のパーフォーマンスを熟知していないと、システム全体のパーフォーマンスの観点から見て、ＴＶ受像機とＢＤプレーヤのどちらにＶＯＤ再生機能を実行させるのが望ましいかを判断することができなかった。けれども、本電子機器システムでは、上記のような場合に、システム全体のパーフォーマンスの観点から見て最適な電子機器（ＢＤプレーヤ）に、指示された共通機能（ＶＯＤ再生機能）を実行させることができる。
【００５６】
このことは、操作機器４から受信した操作コマンドが、共通機能を実行するように指示するための操作コマンドである場合に、上記Ｓ１４及びＳ１８に示される最適な電子機器の選択処理において、電子機器１側のＣＰＵ１２又は電子機器２側のＣＰＵ２２が、図３のフローチャートに示されるように、電子機器１と電子機器２とにおいて、使用できなくなる機能が最も少なくなるように、指示された共通機能を実行するのに最適な電子機器を選択する（Ｓ３１）と考えることができる。また、上記Ｓ１４及びＳ１８に示される最適な電子機器の選択処理において、電子機器１側のＣＰＵ１２又は電子機器２側のＣＰＵ２２が、図４のフローチャートに示されるように、各電子機器（電子機器１と電子機器２と）の間の処理負担が平均化されるように、指示された共通機能を実行するのに最適な電子機器を選択する（Ｓ４１）と考えることもできる。
【００５７】
また、従来は、ＢＤプレーヤからの映像・音声信号を、ＴＶ受像機が受信・表示しているときに、ユーザが、操作機器を用いてノイズリダクション機能を使用する場合には、ＴＶ受像機側のノイズリダクション機能を使用するのが一般的であった。けれども、信号源に近い所でノイズリダクション機能を使用した方が、ノイズリダクション効果が高い場合もあるので、本実施形態の電子機器システム１０では、この場合には、上記Ｓ１４及びＳ１８に示される最適な電子機器の選択処理において、電子機器１側のＣＰＵ１２又は電子機器２側のＣＰＵ２２が、ＢＤプレーヤ側のノイズリダクション機能を使用する（ＢＤプレーヤにノイズリダクション機能を実行させるように制御する）。
【００５８】
上記のように、本実施形態の電子機器１によれば、電子機器１と電子機器２の中から、指示された共通機能を実行する電子機器が自動的に選択される。これにより、各電子機器（電子機器１と電子機器２の各々）に共通した操作体系で、各電子機器に共通機能を実行するように指示することができる。具体的には、各電子機器１、２に共通の操作機器４を用いて、共通の操作画面（電子機器１用の操作画面）から、各電子機器１、２に共通機能を実行するように指示することができる。また、共通機能を実行するように指示されたときに、電子機器１のＣＰＵ１２が、共通機能を実行するのに適した電子機器を自動的に選択することにより、共通機能を実行するのに適した電子機器（電子機器１又は電子機器２）に共通機能を実行するようにさせることができる。
【００５９】
また、本実施形態の電子機器１によれば、ＣＰＵ１２が、ＨＤＭＩ通信部１８を用いて、共通機能リスト１７のデータを、このデータを記憶するように指示するコマンドと共に、電子機器２に送信する。これにより、電子機器２に共通機能リストのデータ（共通機能情報）を記憶させることができるので、電子機器１と電子機器２の両方が、共通機能を実行するのに適した電子機器を自動的に選択することが可能になる。
【００６０】
また、本実施形態の電子機器システム１０によれば、共通機能リスト１７又は共通機能リスト２７に記憶された共通機能情報に対応する共通機能を実行するように指示されたときに、電子機器１と電子機器２の中から、指示された共通機能を実行する電子機器が自動的に選択される。これにより、各電子機器（電子機器１と電子機器２の各々）に共通した操作体系で、各電子機器１、２に共通機能を実行するように指示することができる。具体的には、各電子機器１、２に共通の操作機器４を用いて、共通の操作画面（電子機器１用の操作画面）から、各電子機器に共通機能を実行するように指示することができる。また、共通機能を実行するように指示されたときに、電子機器１側のＣＰＵ１２又は電子機器２側のＣＰＵ２２が、共通機能を実行するのに適した電子機器を自動的に選択するようにさせることにより、共通機能を実行するのに適した電子機器（電子機器１又は電子機器２）に共通機能を実行させることができる。
【００６１】
次に、図５のフローチャートを参照して、本発明の第２の実施形態による電子機器システム１０及び電子機器１について説明する。第２の実施形態の電子機器システム１０における各電子機器１、２の構成は、電子機器２側のメモリ２３が共通機能リスト２７を記憶していないこと以外は、第１の実施形態の各電子機器１、２の構成と同様であるので、その説明を省略する。また、図５のフローチャートにおいて、図２のフローチャートに示される第１の実施形態の電子機器システム１０における処理と同様の処理には、同じ番号を付して、その説明を省略する。第２の実施形態は、電子機器２が、共通機能リスト２７を保存せず、電子機器１と電子機器２のうち、操作機器４からの操作コマンドで指示された共通機能を実行するのに適した方の電子機器を選択する機能を有していないという点において、第１の実施形態と異なっている。より具体的に言うと、第２の実施形態では、第１の実施形態と異なり、電子機器１が、共通機能リスト１７のデータを電子機器２に送信せず（図２のＳ８の処理を行わず）、電子機器２が、図２のＳ９、Ｓ１０、及びＳ１６〜Ｓ１９の処理を行わない。このように、電子機器２が、共通機能リスト２７をメモリ２３に保存しないようにしたことにより、電子機器２側のメモリ２３の記憶容量を節約することができる。
【００６２】
次に、図６に加えて図７のフローチャートを参照して、本発明の第３の実施形態による電子機器システム１０及び電子機器１について説明する。図６に示されるように、第３の実施形態の電子機器システム１０では、図１に示される第１の実施形態の構成と異なり、電子機器１側のメモリ１３及び電子機器２側のメモリ２３が共通機能リストを記憶しておらず、操作機器４が、共通機能リスト保存用のメモリ４３を有している。また、第３の実施形態の電子機器１及び電子機器２は、第１の実施形態の電子機器１及び電子機器２と異なり、リモコン信号受信部ではなく、無線信号受信部３１、３２を備えている。さらにまた、第３の実施形態の操作機器４は、無線信号送受信部４１を備えている。操作機器４における無線信号送受信部４１とＣＰＵ４２とが、請求項における操作機器の受信手段に相当する。その他の構成については、第１の実施形態の電子機器システム１０の構成と同様であるので、その説明を省略する。
【００６３】
第３の実施形態による電子機器システム１０では、図７に示されるように、図２のフローチャートに示されるＳ１〜Ｓ６の処理と同様な処理を行った後、Ｓ６で抽出した共通機能を示すデータ（共通機能リスト１７のデータ）を、このデータを記憶するように指示するコマンドと共に、操作機器４に送信する（Ｓ５１）。
【００６４】
操作機器４側のＣＰＵ４２（図６参照）は、無線信号送受信部４１を用いて、電子機器１から送信された共通機能リストのデータを受信すると（Ｓ５２）、このデータを共通機能リストとしてメモリ４３に保存（記憶）する（Ｓ５３）。
【００６５】
上記Ｓ５３の処理の完了後に、ユーザが、操作機器４を用いて、共通の操作画面から、電子機器１の機能と電子機器２の機能との共通機能を実行するように指示するための操作を行うと（Ｓ５４でＹＥＳ）、操作機器４側のＣＰＵ４２は、電子機器１と電子機器２のうち、上記の操作で指示された共通機能を実行するのに適した方の電子機器を選択する（電子機器１と電子機器２の中から、上記の操作で指示された共通機能を実行するのに最適な電子機器を選択する）（Ｓ５５）。
【００６６】
次に、操作機器４側のＣＰＵ４２は、Ｓ５５で（最適と）選択した電子機器に対して、Ｓ５４で指示操作された共通機能を実行するように指示するためのコマンドを送信する）（Ｓ５６）。これにより、Ｓ５５で最適と選択された電子機器が、Ｓ５４で指示操作された共通機能の動作を実行する（Ｓ２０）。すなわち、操作機器４側のＣＰＵ４２は、Ｓ５５で選択した電子機器が、Ｓ５４で指示操作された共通機能を実行するように制御する。
【００６７】
第３の実施形態の電子機器システム１０によれば、操作機器４が、電子機器１から送信された共通機能情報（共通機能リスト）を受信して、受信した共通機能情報に対応する共通機能を実行する機器を、電子機器１の機能と電子機器２の中から選択するので、電子機器１と電子機器２に共通した操作体系で、各電子機器１、２に共通機能を実行するように指示することができる。具体的には、この操作機器４を各電子機器１、２に共通の操作機器として用いて、共通の操作画面（共通機能用の操作画面）から、各電子機器１、２に共通機能を実行するように指示することができる。
【００６８】
なお、本発明は、上記実施形態の構成に限られず、発明の趣旨を変更しない範囲で種々の変形が可能である。例えば、上記の各実施形態では、電子機器システム１０に含まれる電子機器の数が２つである場合の例について説明したが、電子機器システム１０に含まれる電子機器の数は、３つ以上であってもよい。電子機器の数が３つ以上の場合には、全ての電子機器に共通した機能を共通機能リストに格納してもよいし、電子機器の組み合わせ毎に、異なる共通機能リストを作成してもよい。また、上記の各実施形態では、２つの電子機器をＨＤＭＩ接続した場合の例を示したが、２つの電子機器を無線通信方式を用いて接続してもよい。
【００６９】
また、上記各実施形態における最適な電子機器の選択処理において、図８に示されるように、自機（電子機器１（又は電子機器２））の負荷が所定の閾値を超えた場合に、他の電子機器（電子機器２（又は電子機器１））に共通機能を実行させる（共通機能を実行する機器として電子機器２（又は電子機器１）を選択する）ようにさせてもよい。
【００７０】
また、上記各実施形態における最適な電子機器の選択処理において、共通機能を実行する機器として、電子機器１と電子機器２のうち、消費電力が最も小さい機器を選択するようにしてもよい。
【００７１】
また、上記各実施形態における最適な電子機器の選択処理において、自機と他の電子機器の各々における共通機能を実行した回数（使用履歴）を用いて、共通機能を実行する機器を選択するようにしてもよい。例えば、電子機器１と電子機器２のうち、指示された共通機能を実行した回数が多い方の電子機器を、共通機能を実行する機器として選択してもよい。
【符号の説明】
【００７２】
１    電子機器（電子機器、第１の電子機器）
２    電子機器（他の電子機器、第２の電子機器）
４    操作機器
１２  ＣＰＵ（共通機能認識手段、実行機器選択手段、機能情報取得手段、コマンド送信手段、情報送信手段、）
１８  ＨＤＭＩ通信部（機能情報取得手段、コマンド送信手段、情報送信手段）
２２  ＣＰＵ（第２の電子機器の受信手段、選択手段、及び実行制御手段）
４１  無線信号送受信部（操作機器の受信手段）
４２  ＣＰＵ（操作機器の受信手段）
【図１】
2013247580.tif 000003
【図２】
2013247580.tif 000004
【図３】
2013247580.tif 000005
【図４】
2013247580.tif 000006
【図５】
2013247580.tif 000007
【図６】
2013247580.tif 000008
【図７】
2013247580.tif 000009
【図８】
2013247580.tif 000010